(57)【特許請求の範囲】
【請求項１】
情報信号を記憶する情報記憶部と、前記情報記憶部が記憶した情報信号を再生する情報再生部と、識別信号の組合せを設定する識別信号設定部と、前記情報記憶部が記憶した情報信号と前記識別信号設定部が設定した識別信号の組合せとの関係付けを設定する識別信号リンク設定部と、識別信号を受信する受信部と、前記受信部が受信した１つの識別信号が前記識別信号設定部に設定された識別信号の組合せに含まれる識別信号であるか否かを判別する識別信号判別部と、前記識別信号判別部が、前記受信部が受信した１つの識別信号が前記識別信号設定部に設定された識別信号の組合せに含まれる識別信号であると判別した識別信号を記憶する識別信号記憶部と、前記情報記憶部、前記情報再生部、及び前記識別信号リンク設定部を制御する制御部を備え、前記制御部は、前記識別信号設定部に設定された組合せに含まれる１つの識別信号を前記受信部が受信し前記識別信号記憶部に記憶した後、前記受信部が当該１つの識別信号と前記識別信号設定部に設定された組合せをなす１つの識別信号を受信した場合、これらの識別信号の組合せに関係付けて前記識別信号リンク設定部に設定された情報信号を前記情報再生部に再生させ、前記受信部が当該１つの識別信号と前記識別信号設定部に設定された組合せをなす識別信号以外の１つの識別信号を受信した場合、前記識別信号記憶部が記憶した識別信号を消去する制御を行うことを特徴とする情報再生装置。
【請求項２】
識別信号を送信する複数の送信装置と、前記送信装置から送信される識別信号を受信する情報再生装置を備えた情報再生システムにおいて、前記情報再生装置は、情報信号を記憶する情報記憶部と、前記情報記憶部が記憶した情報信号を再生する情報再生部と、識別信号の組合せを設定する識別信号設定部と、前記情報記憶部が記憶した情報信号と前記識別信号設定部が設定した識別信号の組合せとの関係付けを設定する識別信号リンク設定部と、識別信号を受信する受信部と、前記受信部が受信した１つの識別信号が前記識別信号設定部に設定された識別信号の組合せに含まれる識別信号であるか否かを判別する識別信号判別部と、前記識別信号判別部が、前記受信部が受信した１つの識別信号が前記識別信号設定部に設定された識別信号の組合せに含まれる識別信号であると判別した識別信号を記憶する識別信号記憶部と、前記情報記憶部、前記情報再生部、及び前記識別信号リンク設定部を制御する制御部を備え、前記制御部は、前記識別信号設定部に設定された組合せに含まれる１つの識別信号を前記受信部が受信し前記識別信号記憶部に記憶した後、前記受信部が当該１つの識別信号と前記識別信号設定部に設定された組合せをなす１つの識別信号を受信した場合、これらの識別信号の組合せに関係付けて前記識別信号リンク設定部に設定された情報信号を前記情報再生部に再生させ、前記受信部が当該１つの識別信号と前記識別信号設定部に設定された組合せをなす識別信号以外の１つの識別信号を受信した場合、前記識別信号記憶部が記憶した識別信号を消去する制御を行うことを特徴とする情報再生システム。
【発明の詳細な説明】
【０００１】
【発明の属する技術分野】
本発明は、送信装置からの識別信号を受信して、音声、画像、文字等の情報信号を再生する情報再生装置、及び情報再生システムに関するものである。
【０００２】
【従来の技術】
遊園地、博物館、テーマパーク等において、それぞれの見学施設の案内、説明等を、音声、画像、文字等によって出力する携帯型の再生装置が用いられる。
音声情報を再生出力する再生装置であれば、利用者は再生装置を携帯して、ヘッドホン、イヤホン等を用いて、所望の見学施設等の前に行って、その見学施設等に対応した案内、説明等の音声を聞くことができる。
画像情報を再生出力する再生装置であれば、利用者は再生装置を携帯して、所望の見学施設等の前に行って、再生装置の表示画面に表示される、その見学施設等に対応した案内、説明等の画像を見ることができる。
文字情報を再生出力する再生装置であれば、利用者は再生装置を携帯して、所望の見学施設等の前に行って、再生装置の表示画面に表示される、その見学施設等に対応した案内、説明等の文字を読むことができる。
【０００３】
携帯型の再生装置は、展示物の近くや案内等の情報が必要な場所に予め設置した送信装置とともに再生システムを構成し、送信装置から送信される識別信号（ＩＤ（ＩＤｅｎｔｉｆｉｃａｔｉｏｎ）信号）を受信し、予めメモリー等に記憶した複数の情報信号のうち、受信したＩＤ信号に関係付けた情報信号を再生し出力する。
【０００４】
この再生装置は、海外からの観光客等の日本語の説明が理解できない利用者向けに予め英語等の外国語の情報信号をメモリー等に記憶しておくことにより、利用者は所望の見学施設等に対応した説明の再生番号をキー操作で選択して外国語の案内等の情報を受け理解することができる。
【０００５】
この再生装置は、送信装置からのＩＤ信号の受信エリア内に再生装置を携帯した利用者が入った場合に、待つことなく自動的に、音声、画像、文字等による案内等の情報を提供することができる。このため、再生装置は、使用状態で常にＩＤ信号を受信可能な受信待機状態にしている。一方、送信装置は、連続的に、または時間間隔をおいて間欠的に、ＩＤ信号を送信する。
【０００６】
【発明が解決しようとする課題】
利用者の移動経路に応じた情報を再生出力して提供する機能をもたせることにより、利用者が、テーマパーク等の中で、どの方向に歩いているかを知り、行こうとする方向と合っているかどうかを確認することができる。また、テーマパーク等の主催者の意図する方向に利用者を誘導することができる。
このような方向に応じた情報を再生する誘導案内等を行う際、利用者の移動経路に応じた情報を再生出力すると共に、移動経路途中の施設等の案内、説明等の情報を選択して利用者に提供したいという要望がある。
【０００７】
【課題を解決するための手段】
本発明の請求項１に記載の情報再生装置は、情報信号を記憶する情報記憶部と、前記情報記憶部が記憶した情報信号を再生する情報再生部と、識別信号の組合せを設定する識別信号設定部と、前記情報記憶部が記憶した情報信号と前記識別信号設定部が設定した識別信号の組合せとの関係付けを設定する識別信号リンク設定部と、識別信号を受信する受信部と、前記受信部が受信した１つの識別信号が前記識別信号設定部に設定された識別信号の組合せに含まれる識別信号であるか否かを判別する識別信号判別部と、前記識別信号判別部が、前記受信部が受信した１つの識別信号が前記識別信号設定部に設定された識別信号の組合せに含まれる識別信号であると判別した識別信号を記憶する識別信号記憶部と、前記情報記憶部、前記情報再生部、及び前記識別信号リンク設定部を制御する制御部を備え、前記制御部は、前記識別信号設定部に設定された組合せに含まれる１つの識別信号を前記受信部が受信し前記識別信号記憶部に記憶した後、前記受信部が当該１つの識別信号と前記識別信号設定部に設定された組合せをなす１つの識別信号を受信した場合、これらの識別信号の組合せに関係付けて前記識別信号リンク設定部に設定された情報信号を前記情報再生部に再生させ、前記受信部が当該１つの識別信号と前記識別信号設定部に設定された組合せをなす識別信号以外の１つの識別信号を受信した場合、前記識別信号記憶部が記憶した識別信号を消去する制御を行うものである。
【００１３】
本発明の請求項２に記載の情報再生システムは、識別信号を送信する複数の送信装置と、前記送信装置から送信される識別信号を受信する情報再生装置を備えた情報再生システムにおいて、前記情報再生装置は、情報信号を記憶する情報記憶部と、前記情報記憶部が記憶した情報信号を再生する情報再生部と、識別信号の組合せを設定する識別信号設定部と、前記情報記憶部が記憶した情報信号と前記識別信号設定部が設定した識別信号の組合せとの関係付けを設定する識別信号リンク設定部と、識別信号を受信する受信部と、前記受信部が受信した１つの識別信号が前記識別信号設定部に設定された識別信号の組合せに含まれる識別信号であるか否かを判別する識別信号判別部と、前記識別信号判別部が、前記受信部が受信した１つの識別信号が前記識別信号設定部に設定された識別信号の組合せに含まれる識別信号であると判別した識別信号を記憶する識別信号記憶部と、前記情報記憶部、前記情報再生部、及び前記識別信号リンク設定部を制御する制御部を備え、前記制御部は、前記識別信号設定部に設定された組合せに含まれる１つの識別信号を前記受信部が受信し前記識別信号記憶部に記憶した後、前記受信部が当該１つの識別信号と前記識別信号設定部に設定された組合せをなす１つの識別信号を受信した場合、これらの識別信号の組合せに関係付けて前記識別信号リンク設定部に設定された情報信号を前記情報再生部に再生させ、前記受信部が当該１つの識別信号と前記識別信号設定部に設定された組合せをなす識別信号以外の１つの識別信号を受信した場合、前記識別信号記憶部が記憶した識別信号を消去する制御を行うことを特徴とするものである。
【００２１】
【発明の実施の形態】
図１に、本発明の情報再生装置及び情報再生システムの一実施例の構成のブロック図を示す。送信装置３２は、設置された場所（位置）に応じて再生装置の再生すべき音声信号、画像信号、又は文字信号を選択指示するために位置の識別信号（ＩＤ（ＩＤｅｎｔｉｆｉｃａｔｉｏｎ）信号）を予め記憶したメモリ１１から送信部１２へ読み出し、送信のための信号変調して、送信アンテナ１３を介して送信する。経路ＩＤ信号の送信に用いる送信装置３２は、利用者が移動する歩行路等の経路に設置され、その経路に応じて再生装置の再生すべき音声信号、画像信号、又は文字信号を選択指示するために経路ＩＤ信号を予め記憶したメモリ１１から送信部１２へ読み出し、送信のための信号変調して、送信アンテナ１３を介して送信する。
【００２２】
送信アンテナ１３として、赤外線発光素子を用いることができる。赤外線で送信する場合には、送信部１２は、ＩＤ信号を、例えば、パルス位置変調（ＰＰＭ：Ｐｕｌｓｅ  Ｐｏｓｉｔｉｏｎ  Ｍｏｄｕｌａｔｉｏｎ）する。送信装置３２には、送信装置３２各部を動作させるための電力を供給する電源装置３３が接続される。送信部１２は、マイコン及びそのプログラムで構成される。
【００２３】
再生装置３１は、送信装置３２から赤外線等で送信されてくるＩＤ信号を受信アンテナ１で受け、順次受信されるＩＤ信号を受信部２内のメモリに蓄積して信号復調し、ＩＤ信号を判別するＩＤ判別部３に入力する。送信アンテナ１３から受信アンテナ１への伝送速度と受信部２からＩＤ判別部３へ入力する伝送速度の差は、受信部２で調整される。ＩＤ判別部３は、入力されたＩＤ信号が、位置に応じた情報再生を指示するためにＩＤ設定部３Ａ内の位置ＩＤ設定部３Ｂに予め設定された位置ＩＤ信号であるか、利用者の移動経路に応じた情報再生を指示するためにＩＤ設定部３Ａ内の経路ＩＤ設定部３Ｃに予め設定された経路ＩＤ信号であるかを判別する。
【００２４】
赤外線で送信されたＩＤ信号を受信する場合、受信アンテナ１として赤外線受光素子を用いることができる。受信部２は、ＩＤ信号がＰＰＭ変調されて伝送された赤外線の信号であれば、ＰＰＭ復調してＩＤ判別部３に入力する。
【００２５】
ＩＤ判別部３には、ＩＤ設定部３Ａ、ＩＤ記憶部（ＩＤメモリ）３Ｅが接続される。ＩＤ設定部３Ａ内には、位置ＩＤ信号を予め設定する位置ＩＤ設定部３Ｂ、経路ＩＤ信号の組合せを予め設定する経路ＩＤ設定部３Ｃ、経路ＩＤ信号の組合せに対応する経路途中の位置ＩＤ信号を予め設定する経路内位置ＩＤ設定部３Ｄを備える。ＩＤ設定部３Ａ、位置ＩＤ設定部３Ｂ、経路ＩＤ設定部３Ｃの設定操作は、図示しない操作部から設定情報を制御部４に入力して、再生装置３１の使用に先立って行われる。
ＩＤメモリ３Ｅは、受信アンテナ１、受信部２、ＩＤ判別部３を介して受信されたＩＤ信号を記憶するためのメモリである。ＩＤメモリ３Ｅには、再生装置３１の電源を入れて使用開始するときには、ＩＤ信号を記憶していない。再生装置３１の使用開始後、受信したＩＤ信号がＩＤメモリ３Ｅに記憶される。
【００２６】
ＩＤ判別部３で判別されたＩＤ信号が位置ＩＤ信号である場合、位置ＩＤ信号は制御部４に入力される。制御部４にはＩＤ信号と情報信号の関係付けを設定するためのＩＤリンク設定部４Ａが接続される。位置ＩＤ信号と情報信号の関係付けは、ＩＤリンク設定部４Ａ内の位置ＩＤリンク設定部４Ｂに予め設定される。
【００２７】
制御部４は、位置ＩＤリンク設定部４Ｂに設定された位置ＩＤ信号と情報信号の関係付けに基づいて、入力された位置ＩＤ信号に関係付けられた音声、画像、又は文字の情報信号を、情報記憶部５から選択し、情報再生部６で読み出し再生し、音声情報であれば音声出力部８に出力し、画像情報又は文字情報であれば表示部７に出力して表示する。音声出力部８に出力された音声情報は、図示しないスピーカ、ヘッドホン等によって音声出力される。
制御部４には、ＩＤ判別部３、情報記憶部５、情報再生部６が接続される。受信部２、ＩＤ判別部３、制御部４は、マイコン及びそのプログラムで構成される。
【００２８】
ＩＤ判別部３で判別されたＩＤ信号が経路ＩＤ信号である場合、その経路ＩＤ信号は、ＩＤ判別部３に接続して設けたＩＤメモリ３Ｅに記憶される。経路ＩＤリンク設定部４Ｃには、経路ＩＤ信号の組合せと情報信号との関係付けが予め設定される。経路内位置ＩＤリンク設定部４Ｄには、経路ＩＤ信号の組合せに対応する経路途中の位置ＩＤ信号と情報信号との関係付けが予め設定される。
【００２９】
ＩＤメモリ３Ｅに経路ＩＤ信号を記憶した状態で、他の経路ＩＤ信号がＩＤ判別部３に入力された場合、ＩＤ判別部３はＩＤメモリ３Ｅに前に記憶した経路ＩＤ信号と後に入力された経路ＩＤ信号との組合せに関係付けて、経路ＩＤリンク設定部４Ｃに設定した情報信号を再生する指示を制御部４へ行う。従って、経路ＩＤ信号の組合せで決まる経路、方向に応じた誘導案内等の情報を再生出力することができる。
【００３０】
経路ＩＤ信号が再生装置３１に受信されてＩＤ判別部３に入力されたとき、前に入力された経路ＩＤ信号がない、即ち、経路ＩＤ信号がＩＤメモリ３Ｅに記憶されていない場合であれば、情報信号の再生出力は行われない。
【００３１】
経路ＩＤ信号は、２つの経路ＩＤ信号の組合せによって、利用者の移動方向に応じた誘導案内等の情報を再生出力するために、経路ＩＤ設定部３Ｃに予め設定される。
位置ＩＤ信号は、経路を決めるため組み合わせられた２つの経路ＩＤ信号を各々送信する２台の経路ＩＤ送信装置の間、即ち経路ＩＤ信号の組合せによって設定される経路途中の施設等の案内情報を提供するために設置された経路内位置ＩＤ信号送信装置から送信される。この位置ＩＤ信号は、経路内位置ＩＤ設定部３Ｄに予め設定される。
【００３２】
情報記憶部５は、ＩＣメモリーカード等の記憶媒体を用いて、交換可能な構成として実施することができる。ＩＤ信号に関係付けて記憶する情報信号を、外国語の情報、詳細な情報、障害者向け情報等、目的、用途に応じた情報信号の記憶媒体を交換して、利用者に提供することができる。
【００３３】
送信装置３２をテーマパーク等の敷地内の複数箇所に設けて、本発明の再生システムを構成する。複数個所の送信装置のうち１台でも、故障、停電等を起こしてＩＤ信号を送信できなくなると、利用者の移動経路、移動方向に応じた案内情報の提供、又は案内情報による利用者の誘導に支障をきたすので、各送信装置にはバックアップとして補助電源を備えると良い。
【００３４】
電源装置３３は、通常の商用電源、充電池等の電源部１６、及びバックアップ用の補助電源部１７を備える。電源部１６、及び補助電源部１７は、スイッチ１５、停電検出部１４を介して、送信装置３２に動作電力を供給する。通常は電源部１６から送信装置３２へ動作電力を供給する。停電検出部１４で停電又は電圧低下を検出した場合、停電検出部１４はスイッチ１５を補助電源部１７側へ切り換え、補助電源部１７から送信装置３２へ動作電力を供給する。補助電源部１７には、充電池、自家発電装置、他系統の商用電源等を適宜選択して用いることができる。
【００３５】
図２に、本発明の情報再生装置の一実施例の動作をフローチャートとして示す。処理を開始し（Ｓ１）、ＩＤメモリ内のＩＤ信号の記憶領域を消去（クリア）し（Ｓ２）、送信装置からのＩＤ信号を受信すると（Ｓ３）、受信したＩＤ信号が経路ＩＤ信号であるか位置ＩＤ信号であるかを判別する（Ｓ４）。
【００３６】
Ｓ３で受信したＩＤ信号が経路ＩＤ信号であれば（Ｓ４で経路ＩＤ）、受信した経路ＩＤ信号をＩＤメモリに記憶し（Ｓ５）、次に受信したＩＤ信号が、このＩＤメモリに記憶した経路ＩＤ信号と組み合わせて設定された経路ＩＤ信号である場合または経路内位置ＩＤ信号である場合にのみ再生出力を行うように制御部４は再生装置の動作を制限する（Ｓ６）。
【００３７】
Ｓ３で受信したＩＤ信号が位置ＩＤ信号である場合（Ｓ４で位置ＩＤ）、その位置ＩＤ信号が関係付けて記憶された情報を前回再生した位置ＩＤ信号でなければ（Ｓ１３でＮＯ）、位置ＩＤ信号に関係付けて記憶された情報を再生出力し（Ｓ１４）、Ｓ３のＩＤ信号受信に戻ってＳ３以後の処理を行う。また、位置ＩＤ信号に関係付けて記憶された情報を前回再生した位置ＩＤ信号であれば（Ｓ１３でＹＥＳ）、再生出力せずに、Ｓ３のＩＤ信号受信に戻ってＳ３以後の処理を行う。
【００３８】
再生装置３１を携帯した利用者が場所を移動して、ＩＤ信号を受信すると（Ｓ７）、経路ＩＤ信号であるか位置ＩＤ信号であるかを判別する（Ｓ８）。
Ｓ７で受信したＩＤ信号が位置ＩＤ信号であれば（Ｓ８で位置ＩＤ）、その位置ＩＤ信号が経路内ＩＤ信号であるかどうかを判別する（Ｓ１５）。経路内位置ＩＤ信号でなければ（Ｓ１５でＮＯ）、制御部４により動作制限された状態にあるので位置ＩＤ信号に関係付けて記憶された情報の再生出力は行わず、制御部４はＳ６で行った再生制限を解除して（Ｓ１８）、Ｓ２のＩＤメモリのクリアに戻ってＳ２以後の処理を行う。
【００３９】
Ｓ１５で判別した位置ＩＤ信号が経路内位置ＩＤ信号である場合（Ｓ１５でＹＥＳ）、その経路内位置ＩＤ信号が、関係付けて記憶された情報を前回再生した経路内位置ＩＤ信号でなければ（Ｓ１６でＮＯ）、経路内位置ＩＤ信号に関係付けて記憶された情報を再生出力し（Ｓ１７）、Ｓ７のＩＤ信号受信に戻ってＳ７以後の処理を行う。また、経路内位置ＩＤ信号が、関係付けて記憶された情報を前回再生した経路内位置ＩＤ信号であれば（Ｓ１６でＹＥＳ）、再生出力せずに、Ｓ７のＩＤ信号受信に戻ってＳ７以後の処理を行う。
【００４０】
Ｓ７で受信したＩＤ信号が経路ＩＤ信号であれば（Ｓ８で経路ＩＤ）、ＩＤ判別部３は前回受信しＩＤメモリに記憶した経路ＩＤ信号の組合せとしてＩＤ設定部３Ａ内の経路ＩＤ設定部３Ｃに設定された経路ＩＤ信号であるかどうかを判別する（Ｓ９）。
ＩＤメモリに記憶した経路ＩＤ信号が、組合せとして経路ＩＤ設定部３Ｃに設定された経路ＩＤ信号でなければ（Ｓ９でＮＯ）、制御部４はＳ６で行った再生制限を解除して（Ｓ１８）、Ｓ２のＩＤメモリのクリアに戻ってＳ２以後の処理を行う。
【００４１】
ＩＤメモリに記憶した経路ＩＤ信号の組合せとして経路ＩＤ設定部３Ｃに設定された経路ＩＤ信号であれば（Ｓ９でＹＥＳ）、受信した経路ＩＤ信号をＩＤメモリに記憶し（Ｓ１０）、ＩＤメモリに記憶した２つの経路ＩＤ信号の組合せに関係付けて情報記憶部５に記憶された情報信号を再生出力する（Ｓ１１）。処理動作を続行する場合には（Ｓ１２でＹＥＳ）、Ｓ７のＩＤ信号受信に戻ってＳ７以後の処理を再度行う。処理動作を続行しない場合（Ｓ１２でＮＯ）、終了する（Ｓ１９）。
【００４２】
このようにして、再生装置３１は、前に受信した経路ＩＤ信号と後に受信した経路ＩＤ信号を組み合わせて、利用者の移動経路、移動方向に応じた誘導案内等の情報を再生出力する。また、経路ＩＤ信号受信後、位置ＩＤ信号の再生については、経路内位置ＩＤ信号に関係付けて設定された情報の再生のみを行う。
【００４３】
ある経路ＩＤ信号を受信した後、経路内位置ＩＤ信号ではない位置ＩＤ信号を受信した場合、または先に受信した経路ＩＤ信号と組合せをなさない経路ＩＤ信号を受信した場合には、経路ＩＤ信号のメモリをクリアする。通路が複数組み合わされ各通路に経路ＩＤ送信装置が設置された構成において、利用者が途中で引き返したり、回り道をしたり、進路を変更したりして、予定された順番以外で経路ＩＤ信号が受信された場合、また経路ＩＤ受信後に予定されていない経路ＩＤ信号、位置ＩＤ信号が受信された場合の、再生装置の誤動作、誤案内を防止することができる。
【００４４】
図３は、本発明の情報再生システムの一実施例の構成を示す概略図である。図３に示す再生システムは、テーマパーク等の設備に対応した案内等の情報を再生するものであり、壁４１Ａ、壁４１Ｂ、壁４１Ｃによって設けられた通路に沿って経路ＩＤ信号を送信する経路ＩＤ送信装置Ａ４３、経路ＩＤ送信装置Ｂ４４を設ける。円４３Ａは、経路ＩＤ送信装置Ａ４３の経路ＩＤ信号の送信エリアを示し、円４４Ａは、経路ＩＤ送信装置Ｂ４４の経路ＩＤ信号の送信エリアを示す。
【００４５】
経路ＩＤ送信装置Ａ４３と経路ＩＤ送信装置Ｂとの間の通路の途中、壁４１Ｂと壁４１Ｃの間付近に売店４５を設置し、売店４５の付近に経路内位置ＩＤ送信装置４６を設ける。楕円４６Ａは、経路内位置ＩＤ送信装置４６の経路内位置ＩＤ信号の送信エリアを示す。
【００４６】
経路ＩＤ送信装置Ａ４３及び経路ＩＤ送信装置Ｂ４４から送信される経路ＩＤ信号の組合せは、再生装置内の経路ＩＤ設定部３Ｃに予め設定される。経路ＩＤ信号の組合せの受信順によって再生する情報が決定されるように、経路ＩＤ信号の組合せと情報信号との関係付けを経路ＩＤリンク設定部４Ｃに予め設定する。図４に、本発明の情報再生装置の経路ＩＤ信号の組合せ及び再生情報の関係付けの一実施例を表として示す。図４に示す経路ＩＤ信号の組合せは経路ＩＤ設定部３Ｃに設定され、経路ＩＤ信号の組合せと再生情報番号との関係付けは経路ＩＤリンク設定部４Ｃに設定される。
【００４７】
経路ＩＤ信号の組合せ及び順番に再生情報番号が関係付けられ、経路ＩＤ信号Ａを受信した後Ｂが受信された場合に関係付けられた受信順Ａ→Ｂの再生情報番号の情報信号が再生される。経路ＩＤ信号Ｂを受信した後Ａが受信された場合に関係付けられた受信順Ｂ→Ａの再生情報番号の情報信号が再生される。
【００４８】
図５に、本発明の情報再生装置の各ＩＤ種別のＩＤ信号の関係付けの一実施例を表として示す。位置ＩＤ信号をＩＤ  Ｎｏ．０００１〜ＩＤ  Ｎｏ．３０００の範囲で設定し、経路ＩＤ信号をＩＤ  Ｎｏ．３５０１〜ＩＤ  Ｎｏ．４０００の範囲で設定し、経路内位置ＩＤ信号をＩＤ  Ｎｏ．４００１〜ＩＤ  Ｎｏ．４５００の範囲で設定する。
【００４９】
図３において、再生装置Ａ４２Ａを携帯した利用者が通路を左側から右側へ矢印ＲＡで示す方向に進む場合、経路ＩＤ送信装置Ａ４３の送信エリア４３Ａに入り、再生装置Ａ４２Ａは経路ＩＤ送信装置Ａ４３から送信される経路ＩＤ信号（図４のＩＤＮｏ．３５０１）を受信し記憶する。利用者は、進み続けて送信エリア４３Ａを出て、経路内位置ＩＤ送信装置４６の送信エリア４６Ａに入る。再生装置Ａ４２Ａは経路内位置ＩＤ送信装置４６から送信される経路内位置ＩＤ信号を受信する。経路内位置ＩＤ信号は、図５に示すようにＩＤ  Ｎｏ．４００１〜ＩＤ  Ｎｏ．４５００の範囲で設定され、他の位置ＩＤ信号、経路識別信号と識別することができる。経路内位置ＩＤ信号を受信すると、ここでは、経路内位置ＩＤ送信装置４６から送信される経路内位置ＩＤ信号に関係付けて再生装置Ａ４２Ａ内に予め記憶された売店４５の案内情報が再生出力される。
【００５０】
利用者は、進み続けて送信エリア４６Ａを出て、経路ＩＤ送信装置Ｂ４４の送信エリア４４Ａに入る。再生装置Ａ４２Ａは経路ＩＤ送信装置Ｂ４４から送信される経路ＩＤ信号（図４のＩＤＮｏ．３５０２）を受信し、先に記憶した経路ＩＤ信号（ＩＤＮｏ．３５０１）との組合せ及び順番に関係付けて設定された再生情報番号（図４のＮＯ．３５０１）を制御部へ送り、制御部は再生情報番号ＮＯ．３５０１を付して予め情報記憶部５に記憶された情報を読み出させて再生出力する。再生情報番号Ｎｏ．３５０１の情報には、経路ＩＤ信号Ｎｏ．３５０１、Ｎｏ．３５０２の順番で受信することで決まる通路の矢印ＲＡ方向に対応する案内等の情報が予め記憶される。
【００５１】
再生装置Ｂ４２Ｂを携帯した利用者が通路を右側から左側へ矢印ＲＢで示す方向に進む場合、経路ＩＤ送信装置Ｂ４４の送信エリア４４Ａに入り、再生装置Ｂ４２Ｂは経路ＩＤ送信装置Ｂ４４から送信される経路ＩＤ信号（図４のＩＤＮｏ．３５０２）を受信し記憶する。利用者は、進み続けて送信エリア４４Ａを出て、経路内位置ＩＤ送信装置４６の送信エリア４６Ａに入る。再生装置Ｂ４２Ｂは経路内位置ＩＤ送信装置４６から送信される経路内位置ＩＤ信号を受信する。経路内位置ＩＤ信号を受信すると、再生装置Ａ４２Ａを携帯した利用者が矢印ＲＡの方向に進む場合と同様に、経路内位置ＩＤ送信装置４６から送信される経路内位置ＩＤ信号に関係付けて再生装置Ａ４２Ａ内に予め記憶された売店４５の案内情報が再生出力される。
【００５２】
利用者は、進み続けて送信エリア４６Ａを出て、経路ＩＤ送信装置Ａ４３の送信エリア４３Ａに入る。再生装置Ｂ４２Ｂは経路ＩＤ送信装置Ａ４３から送信される経路ＩＤ信号（図４のＩＤＮｏ．３５０１）を受信し、先に記憶した経路ＩＤ信号の組合せ及び順番に関係付けて設定された再生情報番号（図４のＮＯ．３５０２）を制御部へ送り、制御部は再生情報番号ＮＯ．３５０２を付して予め情報記憶部５に記憶された情報を読み出させて再生出力する。再生情報番号Ｎｏ．３５０２には、経路ＩＤ信号Ｎｏ．３５０２、Ｎｏ．３５０１の順番で受信することで決まる通路の矢印ＲＢ方向に対応する案内等の情報が予め記憶される。
【００５３】
このように、経路ＩＤ信号を受信する順番により、同じ経路の各方向に応じた情報を再生し、その途中の経路内位置ＩＤ信号を受信することにより、利用者の進行方向によらず、経路内位置ＩＤ送信装置を設置した位置に対応した情報を提供することができる。
【００５４】
図３に示す構成例を複数の通路に適用し、通路毎に経路ＩＤ送信装置を設置して経路ＩＤ送信エリアを設定し、当該経路に位置ＩＤ送信装置を設置することにより、各通路の進行方向に沿った案内等の情報、及び各通路内の施設等、固定位置の案内等の情報を再生装置を携帯した利用者に提供することができる。
【００５５】
利用者の進行経路に沿って、その進行方向の先にあるものや、途中の目標物についての案内説明を再生装置に予め設定して提供し、利用者を所望の方向へ誘導するように案内し、誘導する経路途中の施設等の案内を誘導の処理動作に影響を与えずに再生出力することができる。
【００５６】
利用者は、再生装置を携帯してテーマパーク等を歩行している場合、進行方向に沿った案内情報を得て、利用者自身がどの方向へ向かって歩いているかを案内情報によって知ることができ、進行方向に関わらず、進行途中の固定施設等の案内情報を得ることができる。
【００５７】
本発明の実施の形態の再生装置及び再生システムによれば、利用者の進行方向に応じた案内等の情報、及び進行中の位置に応じた案内等の情報を提供することができる。
本発明の実施の形態の再生装置及び再生システムによれば、利用者の進行方向を誘導する案内等の情報、及び誘導中の位置に応じた案内等の情報を提供することができる。
本発明の実施の形態の再生装置及び再生システムによれば、視覚障害者が、移動する方向、及び移動中の場所を再生される情報によって認識することができる。
【００５８】
本発明の実施の形態の再生装置及び再生システムによれば、経路ＩＤ信号を受信した場合に、当該経路ＩＤ信号と組合せになる経路ＩＤ信号を受信した場合または経路内位置ＩＤ信号を受信した場合にのみ再生出力を行うように制限するので、利用者が経路ＩＤ受信後、組合せになる経路ＩＤ信号を受信する前に引き返したり、他の経路ＩＤ信号を受信する方向に進路を変更した場合の誤動作、誤案内を防止することができる。
本発明の実施の形態の再生装置及び再生システムによれば、経路ＩＤ信号を受信した場合に、当該経路ＩＤ信号と組合せになる経路ＩＤ信号を受信した場合または経路内位置ＩＤ信号を受信した場合にのみ再生出力を行うように制限するので、途中で位置ＩＤ信号が受信された場合の誤動作、誤案内を防止するとともに、経路内位置ＩＤ信号により、経路内の位置に応じた情報を再生出力することができる。
従って、経路ＩＤ送信装置を配置する場合に、送信される経路ＩＤ信号が組合せをなさないように設置された通路があるなど経路ＩＤ送信装置の配置に不備があった場合でも、再生装置による誤動作、誤案内を防止することができる。
【００５９】
【発明の効果】
本発明によれば、情報再生装置及び情報再生システムの案内情報を、利用者の移動の経路、方向に応じて再生するとともに、経路内の案内情報を再生することができる。
本発明によれば、情報再生装置及び情報再生システムの再生の誤動作を防止することができる。
【図面の簡単な説明】
【図１】本発明の情報再生装置及び情報再生システムの一実施例の構成を示すブロック図である。
【図２】本発明の情報再生装置及び情報再生システムの一実施例の動作を示すフローチャートである。
【図３】本発明の情報再生システムの一実施例を示す概略図である。
【図４】本発明の情報再生装置の経路ＩＤ信号の組合せと再生情報の関係付けの一実施例を示す表である。
【図５】本発明の情報再生装置の各ＩＤ種別のＩＤ信号の関係付けの一実施例を示す表である。
【符号の説明】
１  ・・・  受信アンテナ
２  ・・・  受信部
３  ・・・  ＩＤ判別部
３Ａ  ・・・  ＩＤ設定部
３Ｂ  ・・・  位置ＩＤ設定部
３Ｃ  ・・・  経路ＩＤ設定部
３Ｄ  ・・・  経路内位置ＩＤ設定部
３Ｅ  ・・・  ＩＤ記憶部（ＩＤメモリ）
４  ・・・  制御部
４Ａ  ・・・  ＩＤリンク設定部
４Ｂ  ・・・  位置ＩＤリンク設定部
４Ｃ  ・・・  経路ＩＤリンク設定部
４Ｄ  ・・・  経路内位置ＩＤリンク設定部
５  ・・・  情報記憶部
６  ・・・  情報再生部
７  ・・・  表示部
８  ・・・  音声出力部
１１  ・・・  記憶部（メモリ）
１２  ・・・  送信部
１３  ・・・  送信アンテナ
１４  ・・・  停電検出部
１５  ・・・  スイッチ
１６  ・・・  電源部
１７  ・・・  補助電源部
３１  ・・・  再生装置
３２  ・・・  送信装置
３３  ・・・  電源装置
【図１】
0003608973.tif 000002
【図２】
0003608973.tif 000003
【図３】
0003608973.tif 000004
【図４】
0003608973.tif 000005
【図５】
0003608973.tif 000006